(57)【要約】      （修正有）【課題】締結部材が所定の状態から不特定の方向に移動するのを防止できるブラケット装置を提供する。【解決手段】スライドレールアセンブリ２０のブラケット装置２４，２６は支持フレーム３０、ブラケット３２及び締結部材３４を含む。ブラケットは長手壁及び取り付け部材６４を含む。長手壁は支持フレームに接続される。取り付け部材は長手壁に隣接する。締結部材はブラケットに対して枢結される。締結部材が所定の状態から第１の方向に回転された場合、締結部材の締結区画は取り付け部材から遠ざかる。ブラケット装置は第２の方向における取り付け部材の回転経路上に配置される２つのブロック部をさらに含む。締結部材が所定の状態にある場合、２つのブロック部は締結部材の２つの部分の傍らに配置され、ブロック部は締結部材が所定の状態から第２の方向に回転するのを防止する。【選択図】図５
2019155061.tif 000002
【特許請求の範囲】
【請求項１】
第１のレールと、
前記第１のレールに取り付けられる第１のブラケット装置と、
第２のブラケット装置と、
を含むスライドレールアセンブリであって、
前記第２のブラケット装置は、
前記第１のレールに対して可動な支持フレームと、
長手壁と、取り付け部材とを含むブラケットであって、該長手壁は前記支持フレームに接続され、該取り付け部材は該長手壁に隣接して配置される、ブラケットと、
ピンを通じて前記ブラケットに枢結される締結部材であって、該締結部材は２つの部分を含み、該２つの部分のうちの１つは締結区画を含む、締結部材と、
前記締結部材を所定の状態で維持できるように前記締結部材に弾性力を提供するように構成された弾性部材と、
を含み、
前記締結部材が前記所定の状態にある場合、前記締結区画は前記取り付け部材に隣接し、
前記締結部材が前記所定の状態から第１の方向に回転された場合、前記締結区画は前記取り付け部材から遠ざかり、
前記第２のブラケット装置は、前記締結部材の第２の方向における回転経路上に配置される２つのブロック部をさらに含み、前記締結部材は該第２の方向に沿って回転され、
前記締結部材が前記所定の状態にある場合、２つのブロック部は、前記締結部材が前記所定の状態から前記第２の方向に回転するのを防止するために前記締結部材の２つの部分の傍らにそれぞれあるように構成されている、スライドレールアセンブリ。
【請求項２】
前記支持フレーム及び前記ブラケットの双方は第１の側及び第２の側を有し、前記支持フレームの第１の側及び前記ブラケットの第１の側は同じ側に位置し、前記支持フレームの第２の側及び前記ブラケットの第２の側は同じ側に位置し、該第１の側と該第２の側とは反対側であり、前記２つのブロック部は該第１の側及び該第２の側にそれぞれ配置され、
前記スライドレールアセンブリは前記第１のレールに固定される取り付けベースをさらに含み、前記支持フレームは該取り付けベースを通じて前記第１のレールに可動に接続され、前記第１のブラケット装置及び前記第２のブラケット装置は前記第１のレールをラックの第１のポスト及び第２のポストに取り付けるように構成されている、請求項１に記載のスライドレールアセンブリ。
【請求項３】
前記取り付けベース及び前記支持フレームのうちの一方はガイド部を含み、前記支持フレームは該ガイド部を通じて前記取り付けベースに対して変位可能であり、
前記取り付けベース及び前記支持フレームは、前記支持フレームが前記取り付けベースに対して限られた範囲で変位できるように対応する制限構造を有する、請求項２に記載のスライドレールアセンブリ。
【請求項４】
前記第１のレールは第１の取り付け側と該第１の取り付け側と反対の第２の取り付け側とを有し、前記第１のブラケット装置及び前記第２のブラケット装置は前記第１のレールの第１の取り付け側に配置され、
前記スライドレールアセンブリは前記第１のレールの第２の取り付け側に配置される第２のレールをさらに含む、請求項１に記載のスライドレールアセンブリ。
【請求項５】
前記締結部材の２つの部分は支持部及び延長部であり、前記締結部材は接続部及び支持脚をさらに含み、該接続部は前記ピンを通じて前記ブラケットに枢結されるとともに前記支持部と前記延長部との間にあり、前記支持脚は前記弾性部材に当接するように構成され、前記支持部及び前記支持脚は前記接続部の２つの位置にあり、前記延長部は前記接続部から長手方向に所定の距離伸長し、前記締結区画は前記延長部に配置される、請求項１に記載のスライドレールアセンブリ。
【請求項６】
支持フレームと、
長手壁及び取り付け部材を含むブラケットであって、該長手壁は前記支持フレームに固定され、該取り付け部材は該長手壁に隣接して配置される、ブラケットと、
ピンを通じて前記ブラケットに枢結される締結部材であって、該締結部材は２つの部分を含み、該２つの部分のうちの１つは締結区画を含む、締結部材と、
前記締結部材に弾性力を提供するように構成された弾性部材と、
を含むブラケット装置であって、
前記弾性部材の弾性力に対応して前記締結部材が所定の状態にある場合、前記締結区画は前記取り付け部材に隣接し、
前記締結部材が前記所定の状態から第１の方向に回転された場合、前記締結区画は前記取り付け部材から遠ざかり、
当該ブラケット装置は、前記締結部材の第２の方向における回転経路上に配置される２つのブロック部をさらに含み、前記締結部材は該第２の方向に沿って回転され、前記第１の方向は該第２の方向の反対であり、
前記締結部材が前記所定の状態にある場合、前記２つのブロック部は、前記締結部材が前記所定の状態から前記第２の方向に回転するのを防止するために前記締結部材の２つの部分の傍らにそれぞれあるように構成されている、ブラケット装置。
【請求項７】
前記支持フレーム及び前記ブラケットの双方は第１の側及び第２の側を有し、前記支持フレームの第１の側及び前記ブラケットの第１の側は同じ側に位置し、前記支持フレームの第２の側及び前記ブラケットの第２の側は同じ側に位置し、該第１の側と該第２の側とは反対側であり、前記２つのブロック部は該第１の側及び該第２の側にそれぞれ配置される、請求項６に記載のブラケット装置。
【請求項８】
前記締結部材の２つの部分は支持部及び延長部であり、前記締結部材は接続部及び支持脚をさらに含み、該接続部は前記ピンを通じて前記ブラケットに枢結されるとともに前記支持部と前記延長部との間にあり、前記支持脚は前記弾性部材に当接するように構成され、前記支持部及び前記支持脚は前記接続部の２つの位置にあり、前記延長部は前記接続部から長手方向に所定の距離伸長し、前記締結区画は前記延長部から横方向に突出する、請求項６に記載のブラケット装置。
【請求項９】
支持フレームと、
長手壁及び取り付け部材を含むブラケットであって、該長手壁は前記支持フレームと一体化され、該取り付け部材は該長手壁に隣接して配置される、ブラケットと、
前記ブラケットに移動可能に接続される締結部材であって、該締結部材は支持部、延長部及び接続部を含み、該接続部は該支持部と該延長部との間にあり、該接続部はピンを通じて前記ブラケットに枢結され、該延長部は締結区画を含む、締結部材と、
前記締結部材に弾性力を提供するように構成された弾性部材と、
を含むブラケット装置であって、
前記締結部材が所定の状態にある場合、前記締結区画は前記取り付け部材に隣接し、
前記締結部材が前記所定の状態から第１の方向に回転された場合、前記締結区画は前記取り付け部材から遠ざかり、
当該ブラケット装置は、前記締結部材の第２の方向における回転経路上に配置されるブロック部をさらに含み、前記締結部材は該第２の方向に沿って回転され、
前記締結部材が前記所定の状態にある場合、前記ブロック部は、前記締結部材が前記所定の状態から前記第２の方向に回転するのを防止するために前記締結部材の支持部の傍らにあるように構成されている、ブラケット装置。
【請求項１０】
前記ブロック部は前記支持フレームの壁部又は前記ブラケットの壁部である、請求項９に記載のブラケット装置。
【発明の詳細な説明】
【技術分野】
【０００１】
本発明はスライドレールアセンブリ及びそのブラケット装置に関し、より具体的にはブラケット装置の締結部材が所定の状態から不特定の方向に移動するのを防止するデザインに関する。
【背景技術】
【０００２】
図１及び図２に示すように、スライドレールアセンブリ１００は固定レール１０１ａ、可動レール１０１ｂ（図３及び図４にも示す）及びスライドレールアセンブリ１００をラックのポストに取り付けるのに用いることができるブラケット装置１０２を含む。ここでは、ブラケット装置１０２はブラケット１０４、少なくとも１つの取り付け部材１０６及び締結部材１０８を含む。少なくとも１つの取り付け部材１０６は前述のラックのポストに取り付け可能であり、締結部材１０８はピン１０９を通じてブラケット１０４に枢結される。締結部材１０８は弾性部材１１０の弾性力を通じて所定の位置Ｐで維持できる。締結部材１０８が（図１に示す）所定の位置Ｐにある場合、締結部材１０８の締結区画１１１は前述のラックのポストをロックするのに用いることができる。より具体的には、締結部材１０８に力が加えられた場合、締結部材１０８は第１の方向Ｒ１に回転して（図２に示す）所定の位置Ｐ１から離れることができる。もはや締結部材１０８に力が加えられていない場合、締結部材１０８は弾性部材１１０の弾性力に対応して所定の位置Ｐに戻ることができる。締結部材１０８が所定の位置Ｐにある場合、理想的な製品の締結部材１０８は第１の方向Ｒ１とは反対の第２の方向に実質的に回転できないようにされるべきである。本先行技術では、締結部材１０８が前述の第２の方向に回転するのをブロック且つ防止するのにブラケット１０４の伸長壁１１２が通常用いられる。
【先行技術文献】
【特許文献】
【０００３】
【特許文献１】米国特許第１００２１９７７号明細書
【特許文献２】米国特許第９９８６８２８号明細書
【特許文献３】米国特許第９６２９４６０号明細書
【発明の概要】
【発明が解決しようとする課題】
【０００４】
しかしながら、図３及び図４に示すように、締結部材１０８とピン１０９との間の公差又は不適切に加えられる外力によって締結部材１０８がピン１０９に対して所定の高さＤ持ち上がることが時折起こり得る。その結果、伸長壁１１２は締結部材１０８が第２の方向Ｒ２に回転するのをブロックできないため、スライドレールアセンブリ１００及びブラケット装置１０２の品質及び使用に影響を及ぼす。
【０００５】
本発明は、ブラケット装置の締結部材が所定の状態から不特定の方向に移動するのを防止するデザインに関する。
【課題を解決するための手段】
【０００６】
本発明の一実施形態によれば、スライドレールアセンブリは第１のレールと、第１のブラケット装置と、第２のブラケット装置とを含む。第１のブラケット装置は第１のレールに取り付けられ、第２のブラケット装置は支持フレームと、ブラケットと、締結部材と、弾性部材とを含む。支持フレームは第１のレールに対して可動である。ブラケットは長手壁と、取り付け部材とを含み、該長手壁は支持フレームに接続される。取り付け部材は長手壁に隣接して配置される。締結部材はピンを通じてブラケットに枢結され、締結部材は２つの部分を含み、２つの部分のうちの１つは締結区画を含む。弾性部材は締結部材を所定の状態で維持できるように締結部材に弾性力を提供するように構成され、締結部材が所定の状態にある場合、締結区画は取り付け部材に隣接し、締結部材が所定の状態から第１の方向に回転された場合、締結区画は取り付け部材から遠ざかる。ここでは、第２のブラケット装置は、締結部材の第２の方向における回転経路上に配置される２つのブロック部をさらに含み、締結部材は該第２の方向に沿って回転される。締結部材が所定の状態にある場合、２つのブロック部は、締結部材が所定の状態から第２の方向に回転するのを防止するために締結部材の２つの部分の傍ら（beside）にそれぞれあるように構成されている。
【０００７】
支持フレーム及びブラケットの双方は第１の側及び第２の側を有し、支持フレームの第１の側及びブラケットの第１の側は同じ側に位置し、支持フレームの第２の側及びブラケットの第２の側は同じ側に位置し、該第１の側と該第２の側とは反対側であり、２つのブロック部は該第１の側及び該第２の側にそれぞれ配置され、スライドレールアセンブリは第１のレールに固定される取り付けベースをさらに含み、支持フレームは該取り付けベースを通じて第１のレールに可動に接続され、第１のブラケット装置及び第２のブラケット装置は第１のレールをラックの第１のポスト及び第２のポストに取り付けるように構成されていることが好ましい。
【０００８】
取り付けベース及び支持フレームのうちの一方はガイド部を含み、支持フレームは該ガイド部を通じて取り付けベースに対して変位可能であり、取り付けベース及び支持フレームは、支持フレームが取り付けベースに対して限られた範囲で変位できるように対応する制限構造を有することが好ましい。
【０００９】
第１のレールは第１の取り付け側と該第１の取り付け側と反対の第２の取り付け側とを有し、第１のブラケット装置及び第２のブラケット装置は第１のレールの第１の取り付け側に配置され、スライドレールアセンブリは第１のレールの第２の取り付け側に配置される第２のレールをさらに含むことが好ましい。
【００１０】
締結部材の２つの部分は支持部及び延長部であり、締結部材は接続部及び支持脚をさらに含み、該接続部はピンを通じてブラケットに枢結されるとともに支持部と延長部との間にあり、支持脚は弾性部材に当接するように構成され、支持部及び支持脚は接続部の２つの位置にあり、延長部は接続部から長手方向に所定の距離伸長し、締結区画は延長部に配置されることが好ましい。
【００１１】
本発明の別の態様によれば、ブラケット装置は支持フレームと、ブラケットと、締結部材と、弾性部材とを含む。ブラケットは長手壁及び取り付け部材を含み、該長手壁は支持フレームに固定される。取り付け部材は長手壁に隣接して配置され、締結部材はピンを通じてブラケットに枢結される。締結部材は２つの部分を含み、ピンは該２つの部分の間に位置する。２つの部分のうちの１つは締結区画を含み、弾性部材は締結部材に弾性力を提供するように構成されている。弾性部材の弾性力に対応して締結部材が所定の状態にある場合、締結区画は取り付け部材に隣接する。締結部材が所定の状態から第１の方向に回転された場合、締結区画は取り付け部材から遠ざかる。ここでは、ブラケット装置は、締結部材の第２の方向における回転経路上に配置される２つのブロック部をさらに含み、締結部材は該第２の方向に沿って回転され、第１の方向は該第２の方向の反対である。締結部材が所定の状態にある場合、２つのブロック部は、締結部材が所定の状態から第２の方向に回転するのを防止するために締結部材の２つの部分の傍らにそれぞれあるように構成されている。
【００１２】
締結部材の２つの部分は支持部及び延長部であり、締結部材は接続部及び支持脚をさらに含み、該接続部はピンを通じてブラケットに枢結されるとともに支持部と延長部との間にあり、支持脚は弾性部材に当接するように構成され、支持部及び支持脚は接続部の２つの位置にあり、延長部は接続部から長手方向に所定の距離伸長し、締結区画は延長部から横方向に突出する。
【００１３】
本発明のさらに別の態様によれば、ブラケット装置は支持フレームと、ブラケットと、締結部材と、弾性部材とを含む。ブラケットは長手壁及び取り付け部材を含み、長手壁は支持フレームと一体化されている。取り付け部材は該長手壁に隣接して配置される。締結部材はブラケットに移動可能に接続され、締結部材は支持部、延長部及び接続部を含む。接続部は支持部と延長部との間にあり、接続部はピンを通じてブラケットに枢結される。延長部は締結区画を含み、弾性部材は締結部材に弾性力を提供するように構成されている。締結部材が所定の状態にある場合、締結区画は取り付け部材に隣接する。締結部材が所定の状態から第１の方向に回転された場合、締結区画は取り付け部材から遠ざかる。ここでは、ブラケット装置は、締結部材の第２の方向における回転経路上に配置されるブロック部をさらに含み、締結部材は該第２の方向に沿って回転される。締結部材が所定の状態にある場合、ブロック部は、締結部材が所定の状態から第２の方向に回転するのを防止するために締結部材の支持部の傍らにあるように構成されている。
【００１４】
ブロック部は支持フレームの壁部又はブラケットの壁部であることが好ましい。
【００１５】
様々な図面に図示する下記の好ましい実施形態の詳細な説明を読み終えた後、本発明の上記の目的及び他の目的が当業者に間違いなく明らかになる。
【図面の簡単な説明】
【００１６】
【図１】図１は、先行技術のスライドレールアセンブリ及びブラケット装置を示す図である。
【図２】図２は、第１の方向に回転する先行技術のブラケット装置の締結部材を示す図である。
【図３】図３は、所定の高さ持ち上げられ且つ壁によりブロックされていない先行技術のブラケット装置の締結部材を示す図である。
【図４】図４は、壁によりブロックされておらず且つ第２の方向に回転される先行技術のブラケット装置の締結部材を示す図である。
【図５】図５は、本発明の一実施形態に係る２つのブラケット装置を通じてラックに取り付けられたスライドレールアセンブリを示す図である。
【図６】図６は、本発明の実施形態に係るスライドレールアセンブリを示す分解図である。
【図７】図７は、本発明の実施形態に係るスライドレールアセンブリを示す概略図である。
【図８】図８は、本発明の実施形態に係る、第１の方向に回転されたスライドレールアセンブリのブラケット装置の締結部材を示す図である。
【図９】図９は、本発明の実施形態に係る、所定の状態にあるスライドレールアセンブリのブラケット装置の締結部材を示す図である。
【図１０】図１０は、本発明の実施形態に係る、所定の状態にあるスライドレールアセンブリのブラケット装置の締結部材及び加えられた力により持ち上げられるか又は変形された締結部材の延長部を示す図である。
【発明を実施するための形態】
【００１７】
図５に示すように、本発明の一実施形態に係るスライドレールアセンブリ２０は第１のレール２２、第１のブラケット装置２４及び第２のブラケット装置２６（ブラケット装置ともいう）を含む。第１のレール２２の前部及び後部は、第１のブラケット装置２４及び第２のブラケット装置２６のそれぞれを通じて第１のポスト２８ａ及び第２のポスト２８ｂにそれぞれ取り付けることができる。
【００１８】
図６及び図７に示すように、第１のブラケット装置２４は第１のレール２２に取り付けられる。第１のレール２２に固定された第１のブラケット装置２４を一例として以下で説明するが、本発明は係る構成に限定されない。他方、第２のブラケット装置２６は支持フレーム３０、ブラケット３２、締結部材３４及び弾性部材３６を含む。
【００１９】
支持フレーム３０は第１のレール２２に対して可動である。スライドレールアセンブリ２０は第１のレール２２に固定される取り付けベース３８をさらに含むことが好ましい。取り付けベース３８は第１のレール２２の一部と見ることができる。支持フレーム３０は取り付けベース３８を通じて第１のレール２２に対して可動である。実際の適用では、取り付けベース３８及び支持フレーム３０の一方はガイド部４０を有し、支持フレーム３０はガイド部４０を通じて取り付けベース３８に対して変位可能である。取り付けベース３８は第１の壁４２と、第２の壁４４と、取り付けベース３８の第１の壁４２及び第２の壁４４の間に接続される側壁４６とを有することが好ましい。取り付けベース３８の第１の壁４２、第２の壁４４及び側壁４６はガイド部４０として支持通路を共に定義する。取り付けベース３８の第１の壁４２及び第２の壁４４は第１の屈曲壁４２ａ及び第２の屈曲壁４４ａをそれぞれ有することが好ましい。他方、支持フレーム３０は取り付けベース３８の支持通路に取り付けることができ、支持フレーム３０の構造構成は取り付けベース３８のものと実質的に同じである。即ち、支持フレーム３０は第１の壁４８と、第２の壁５０と、支持フレーム３０の第１の壁４８及び第２の壁５０の間に接続される側壁５２とを有する。支持フレーム３０の第１の壁４８及び第２の壁５０は第１の屈曲壁４８ａ及び第２の屈曲壁５０ａをそれぞれ有することが好ましい。取り付けベース３８及び支持フレーム３０は、取り付けベース３８に対して支持フレーム３０を限られた範囲で変位できるように対応する制限構造を有することが好ましい。ここでは、取り付けベース３８の第１の制限構造５４は一例として突起又は突出部である。他方、支持フレーム３０は第２の制限構造５６を有する。支持フレーム３０が取り付けベース３８に対して所定の範囲変位された場合、支持フレーム３０は第２の制限構造５６を通じて取り付けベース３８の第１の制限構造５４に当接できる。支持フレーム３０はフレキシブルアーム５８を有し、第２の制限構造５６はフレキシブルアーム５８上に配置される。この構成は支持フレーム３０の第２の制限構造５６がフレキシブルアーム５８を通じて第１の制限構造５４に延びて取り付けベース３８に取り付けるのに役立つか又は支持フレーム３０を取り付けベース３８から外すのに役立つ。
【００２０】
ブラケット３２は長手壁６０、端壁６２及び少なくとも１つの取り付け部材６４を含む。長手壁６０は支持フレーム３０に接続される。リベット留め又は溶接により支持フレーム３０の側壁５２の端部に固定された長手壁６０を一例として以下で説明するが、長手壁６０及び支持フレーム３０は互いに一体化されていてもよい。前述の構成によれば、支持フレーム３０はブラケット３２の一部と見ることができる。具体的には、支持フレーム３０の側壁５２は、ブラケット３２の長手壁６０の長手方向への延長部と見ることができる。端壁６２は長手壁６０に対して屈曲されている。即ち、端壁６２は長手壁６０から実質的に垂直に屈曲され、端壁６２は長手壁６０に隣接している。取り付け部材６４のうちの少なくとも１つが長手壁６０に隣接して配置される。取り付け部材６４のうちの、端壁６２に位置するとともに長手壁６０に隣接する１つを一例として以下で説明する。
【００２１】
締結部材３４はブラケット３２に可動に接続される。締結部材３４はピン６６を通じてブラケット３２に枢結されることが好ましい。側方に突出する突起７０を有するブラケット３２の長手壁６０を一例として以下で説明する。締結部材３４はピン６６を通じて突起７０に枢結されている。締結部材３４は２つの部分を含み、例えば、２つの部分は支持部７２及び延長部７４である。締結部材３４は接続部７６、締結区画７８及び支持脚８０等の他の部分をさらに含むことが好ましい。実際の用途では、接続部７６は支持部７２と延長部７４との間にある。ここでは、接続部７６はピン６６を通じてブラケット３２に枢結され、ピン６６は支持部７２と延長部７４との間にある。支持部７２及び延長部７４のうちの一方は締結区画７８を含む。締結区画７８を含む延長部７４を一例として以下で説明する。支持部７２及び支持脚８０は接続部７６の２つの端部に隣接して配置され、支持部７２と共に支持脚８０は接続部７６に対して屈曲されていることが好ましい。延長部７４は接続部７６から長手方向に所定の距離伸長し、締結区画７８は延長部７４に配置されている。即ち、締結区画７８は延長部７４から横に突出する。
【００２２】
弾性部材３６は、締結部材３４を所定の状態Ｘで維持できるように締結部材３４に弾性力を提供するように構成されている。弾性部材３６がブラケット３２の長手壁６０に配置され、締結部材３４の支持脚８０が弾性部材３６の弾性部３７に当接できることが好ましい。弾性部材３６は板バネであり得るが、本発明はそのような構成に限定されない。
【００２３】
なお、第１のレール２２は第１の取り付け側と、第１の取り付け側とは反対の第２の取り付け側とを有する。第１のブラケット装置２４及び第２のブラケット装置２６は第１のレール２２の第１の取り付け側にある。スライドレールアセンブリ２０は第１のレール２２の第２の取り付け側に配置される第２のレール８２をさらに含むことが好ましい。
【００２４】
図７に示すように、締結部材３４が所定の状態Ｘにある場合、締結区画７８は取り付け部材６４に隣接する。所定の状態Ｘでは、締結部材３４の締結区画７８は（図５に示すように）ラックの第２のポスト２８ｂをロックするのに用いることができる。
【００２５】
図８に示すように、締結部材３４が前述の所定の状態Ｘから第１の方向Ｒ１に回転された場合、締結区画７８は取り付け部材６４から遠ざかる。締結部材３４の支持脚８０は、弾性部材３６の弾性部３７が弾性力を維持できるように弾性部材３６の弾性部３７を押圧できる。即ち、締結部材３４が所定の状態Ｘにない場合、締結部材３４の締結区画７８は前述のラックの第２のポスト２８ｂをロックできない。
【００２６】
図９に示すように、締結部材３４が弾性部材３６の弾性部３７により放たれる弾性力に反応して所定の状態Ｘにある場合、締結区画７８は取り付け部材６４に隣接する。
【００２７】
なお、第２のブラケット装置２６は第２の方向Ｒ２における締結部材３４の回転経路上に配置されるブロック部（又はブロック構造）をさらに含む。締結部材３４は第２の方向Ｒ２に沿って回転し、第２の方向Ｒ２は前述の第１の方向Ｒ１の反対方向である。２つのブロック部を一例として以下で説明する。例えば、２つのブロック部のうちの１つは支持フレーム３０の壁部の表面（例えば、支持フレーム３０の第１の屈曲壁４８ａの表面であり得るが、本発明はそのような構成に限定されない。実際には、支持フレーム３０の壁部の前述の表面は支持フレーム３０の第２の屈曲壁５０ａの表面であってもよいし、支持フレーム３０の壁部の前述の表面は側壁３２の面であってもよい）である。２つのブロック部のうちの他方の例としてはブラケット３２の壁部の面（例えば、長手壁６０のブロック壁３２ａの表面であり、ブロック壁３２ａは長手壁６０から所定の高さに延びるが、本発明は係る構成に限定されない）である。実際の用途では、支持フレーム３０及びブラケット３２は第１の側Ｓ１及び第２の側Ｓ２を有し、支持フレーム３０の第１の側Ｓ１及びブラケット３２の第１の側Ｓ１は同じ側に位置し、支持フレーム３０の第２の側Ｓ２及びブラケット３２の第２の側は同じ側にあり、第１の側Ｓ１と第２の側Ｓ２とは反対側である。２つのブロック部は第１の側Ｓ１及び第２の側Ｓ２に配置される。即ち、支持フレーム３０の第１の屈曲壁４８ａの表面は第１の側Ｓ１にあり、ブラケット３２のブロック壁３２ａの表面は第２の側Ｓ２にある。
【００２８】
締結部材３４が所定の状態Ｘにある場合、２つのブロック部は締結部材の２つの部分（即ち、支持部７２及び延長部７４）の傍らに位置し、２つのブロック部は締結部材３４が所定の状態Ｘから第２の方向Ｒ２に回転するのを防止するのに用いられる。例えば、締結部材３４が所定の状態Ｘにある場合、支持フレーム３０の第１の屈曲壁４８ａの表面は締結部材３４の支持部７２の傍らに位置し、この表面はブロックのために用いられる。さらに、ブラケット３２のブロック壁３２ａの表面は締結部材３４の延長部７４の傍らに位置し、この表面はブロックのために用いられる。この構成は締結部材３４が所定の状態Ｘから第２の方向Ｒ２に回転するのを防止することができる。
【００２９】
図１０に示すように、締結部材３４の延長部７４に力（例えば意図しない力）が加えられた場合、締結部材３４の延長部７４は変形するか又はピン６６に対して所定の高さ持ち上げられ得る。締結部材３４及びピン６６は締結部材３４とピン６６との間の公差により互いに対して緩まり得る。延長部７４はブラケット３２のブロック壁３２ａの表面（２つのブロック部のうちの１つ）に対して高さ方向にさらに伸長することにより、ブラケット３２のブロック壁３２ａの表面は延長部７４をブロックすることができなくなる。このような状況では、支持フレーム３０の第１の屈曲壁４８ａの面（２つのブロック部のうちの他方）は、締結部材３４の支持部７２の傍らにあることにより依然としてブロックのために用いることができる。このように、締結部材３４は所定の状態Ｘから第２の方向Ｒ２の方に回転するのを防止できる。
【００３０】
本発明に係る上記の実施形態から分かるように、２つのブロック部のうちの１つがブロック機能を提供できない場合、２つのブロック部のうちの他方が締結部材３４が所定の状態Ｘから第２の方向Ｒ２に回転するのを依然として防止することができる。したがって、本発明はスライドレールアセンブリ及びブラケット装置２６の品質及び信頼性を高める。即ち、第２のブラケット装置２６は、締結部材３４が所定の状態Ｘから第２の方向Ｒ２に回転するのを防止できる二重保護機構を含む。なお、２つのブラケット装置２６の２つのブロック部は、締結部材３４が第２の方向Ｒ２から回転される場合に締結部材３４の回転経路上に配置される。したがって、締結部材３４が所定の状態Ｘから第２の方向Ｒ２に回転するのを防止するために、２つのブロック部のうちの１つのみがブロック機能を提供するのに必要となり得る。
【００３１】
なお、締結部材３４がピン６６を通じてブラケット３２の突起７０に枢結される位置は支持部７２と延長部７４との間の中心ではない。即ち、締結部材３４がピン６６を通じてブラケット３２の突起７０に枢結される位置と支持部７２との間の距離Ｌ１は、締結部材３４がブラケット３２の突起７０に枢結される位置と延長部７４との間の距離Ｌ２よりも小さい。そのような構成では、締結部材３４がピン６６を通じてブラケット３２の突起７０に枢結される位置と支持部７２との間の距離Ｌ１（即ち、より短い部材）は意図しないより大きな力に抗することができ、締結部材３４がブラケット３２の突起７０に枢結される位置と延長部７４との間の距離Ｌ２（即ち、寸法がより小さい）はより小さい公差を有する。その結果、本発明の締結部材３４は締結部材３４が所定の状態Ｘから第２の方向Ｒ２に回転するのをより良好に防止することができる。
【００３２】
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【符号の説明】
【００３３】
２０  スライドレールアセンブリ
２２  第１のレール
２４  第１のブラケット装置
２６  第２のブラケット装置
２８ａ、２８ｂ  第１のポスト、第２のポスト
３０  支持フレーム
３２  ブラケット
３４  締結部材
３６  弾性部材
３８  取り付けベース
４０  ガイド部
４２  第１の壁
４４  第２の壁
４６  側壁
４８  第１の壁
５０  第２の壁
５２  側壁
５４  第１の制限構造
５６  第２の制限構造
５８  フレキシブルアーム
６０  長手壁
６２  端壁
６４  取り付け部材
６６  ピン
７０  突起
７２  支持部
７４  延長部
７６  接続部
７８  締結区画
８０  支持脚
８２  第２のレール
【図１】
2019155061.tif 000003
【図２】
2019155061.tif 000004
【図３】
2019155061.tif 000005
【図４】
2019155061.tif 000006
【図５】
2019155061.tif 000007
【図６】
2019155061.tif 000008
【図７】
2019155061.tif 000009
【図８】
2019155061.tif 000010
【図９】
2019155061.tif 000011
【図１０】
2019155061.tif 000012